(57)【特許請求の範囲】
【請求項１】
観音開きのダンボール箱と上記ダンボール箱内の一端部に収納する箱用仕切り材とよりなり、上記箱用仕切り材は、矩形シートと当該矩形シートの短辺側両側に折り罫を介して一体に設けられた左右の短辺側舌片と当該矩形シートの長辺側の一方に折り罫を介して一体に設けられた長辺側舌片と上記矩形シートに形成された２つの切り込みと当該切り込みの末端部間に形成された折り罫により形成される回動自在片とにより構成されるとともに、上記左右の短辺側舌片と上記矩形シートとを直角に折り曲げることにより上記長辺側舌片を底面とするダム堤を構成して上記ダンボール箱内の一端部に収納するとともに、上記回動自在片を上記長辺側舌片側に折り曲げることにより上記矩形シートの中央部に切欠部を形成し、少なくとも切花の切り口部近傍を収納した切花収納用袋を上記切欠部及び当該切欠部に連結する上記回動自在片上に載置して上記ダンボール箱内に切花を収容するに当たり、上記ダンボール箱内の上記長辺側舌片側の上記回動自在片端を超えて切花に供する液を収納し、反対側に切花の先端を含む大半を収納するようにしたことを特徴とする切花収容箱。
【発明の詳細な説明】
【技術分野】
【０００１】
本発明はダンボール箱に取り付けて機能を著しく高める事に関するものである。
【背景技術】
【０００２】
花輸送は従来横箱で輸送されていたものであったが、しかし近年溶液を入れた保液縦箱が主流になって好評価を得ているが、箱一式の製造費用が高く、使用者に負担を強いている。
又、従来より作られている切花輸送用縦形保液箱は、縦形ダンボール及び箱内に収納して必要な効果を求める部材は、複雑で手間のかかるものや高価な部材であった。
【発明の開示】
【発明が解決しようとする課題】
【０００３】本発明は、切花輸送等に使用する保液を備えた縦型保液箱とも呼称される切花収容箱に関し、低コストで極めて作業性のよい収容箱を提供することを目的とする。
【課題を解決するための手段】
【０００４】本発明は、観音開きのダンボール箱と上記ダンボール箱内の一端部に収納する箱用仕切り材とよりなり、上記箱用仕切り材は、矩形シートと当該矩形シートの短辺側両側に折り罫を介して一体に設けられた左右の短辺側舌片と当該矩形シートの長辺側の一方に折り罫を介して一体に設けられた長辺側舌片と上記矩形シートに形成された２つの切り込みと当該切り込みの末端部間に形成された折り罫により形成される回動自在片とにより構成されるとともに、上記左右の短辺側舌片と上記矩形シートとを直角に折り曲げることにより上記長辺側舌片を底面とするダム堤を構成して上記ダンボール箱内の一端部に収納するとともに、上記回動自在片を上記長辺側舌片側に折り曲げることにより上記矩形シートの中央部に切欠部を形成し、少なくとも切花の切り口部近傍を収納した切花収納用袋を上記切欠部及び当該切欠部に連結する上記回動自在片上に載置して上記ダンボール箱内に切花を収容するに当たり、上記ダンボール箱内の上記長辺側舌片側の上記回動自在片端を超えて切花に供する液を収納し、反対側に切花の先端を含む大半を収納するようにしたことを特徴とする切花収容箱を提供する。【０００５】
この箱用仕切り材は外箱より強度の落ちるダンボールでも使用目的に、充分耐えられるので、安価なダンボールを使用した。
【０００６】この箱用仕切り材は、以前主力であった安価な観音開き（真中より左右に開く蓋のこと）の箱の利用を可能にした点が特徴である。【０００７】
この箱用仕切り材は上記の点に加え、逆さにしても液が漏れないという機能を持たせる事が出来るという特徴をもっている。
【発明の効果】
【０００８】
この箱用仕切り材を使用することによって出来る保液縦箱は、従来の保液縦箱に比べ、地球環境にやさしく（使用ダンボール原紙が少なくてすむ）経済的負担が少ない。（安価に製造出来る観音開きの箱が利用できる）
【０００９】
この箱用仕切り材は段落番号０００８の効果に加えて、逆さにしても液がもれないという従来の切花保液縦箱の常識を覆した機能を持った、切花保液箱を可能にした。
【００１０】結束作業も液の入ったまま横置きで、今までの箱と同じ要領で出来、また、保液縦箱の登場する前の安価な作業性のよい観音開きの箱を利用して結束機にかける場合と同じ作業で出来るなど実用的価値はきわめて大である。【００１１】
シンプルで自然の法則を利用し、最小の費用にして最大の利点を引き出すこの箱用仕切り材は、全ての切花の鮮度保持の用途、並びに全ての関連する用途に利用できる。
【００１２】
試行錯誤して造って実際に花を入れて実験していた時、結束してから箱を上下逆さに置いてしまいました。慌てて立て直しましたが手遅れで、液が出てしまい詰め直しと思いきや、開けてみると全然こぼれていない、不思議に思い調べてみると、ビニール袋に入った液が仕切り材の折り返しのところでぶらさがって（図９）そこに液が自然と移動したのです。
素晴らしいと思いました。
【発明を実施するための最良の形態】
【００１３】
以下に本発明の実施例を図１〜１１にしたがって詳細に説明する。
【００１４】
（図１）は箱用仕切り材の完全展開図、（図２）は組み立て工程図、（図３）は（図２）の工程に従って組み立てられた箱用仕切り材です。（図４）は組み立てられた箱用仕切り材をダンボール箱へ取り付けた図。
【００１５】
以下にその組立手順を（図２）に従って説明する。
【００１６】
（図２）の（ア）の図は平面状に、組み立て形態で準備された箱用仕切り材を真上方向から示している、（凸形に裁断されたシート）、加えてA〜B・C〜Dも曲形に裁断されています。
【００１７】
上記・記載図（ア）のF〜E・E〜G・G〜H・A〜Cには、折り罫が入り凸形を折り罫通り全て垂直方向に折り上げ（図２）の（イ）、E I J G面を下に置きダムの提の様な形に成形する。
（図２）の（ウ）は箱用仕切り材の完成図。
【００１８】
観音開きの箱に 完成した箱用仕切り材をセットします。（図４）
【００１９】
この箱用仕切り材は水の自然の法則を利用したもので、花の結束たばを一定量の液（結束した束の太さによって液の吸い上げ量が違うので、束の太さによって入れる量が変わります）の入ったビニール袋に入れてゴムバンドで止め（図５）そのまま横にして箱に入れます。（図６）
【００２０】
仕切り材の堤があるので、液はビニール袋に入ったまま下にぶら下がって逆流しません。（図７）
【００２１】
箱を立てると花束の切り口が下に落ち着き、（図７）で下にぶら下がっていた液が（図８）の様になり切り口が底に着き吸液出来ます。
（又、仕切り材の枠があるので、ブレません。）
【００２２】
なお、この箱用仕切り材のすごい所は、箱を逆さにしても液が漏れないことです。（箱の底を下にして置き、逆さに立てる）
【００２３】
箱を（底を下にして置き）逆さに立てても液が漏れない理由は、この箱用仕切り材（図１）のB A C Dの折り曲げた部分の効果によるものなのです。（図９）の符号ホ。
【００２４】
この箱用仕切り材効果により、液は逆流しません。
【００２５】
この箱用仕切り材は大箱用、小箱用その間に位置するものとで仕切り材の大きさや形は変わりますが、基本は同じです。
大箱用の仕切り材（図１０）と大箱に花を詰めた状態。（図１１）
【産業上の利用可能性】
【００２６】
花卉輸送用鮮度保持の手段に寄付する本発明は、仕切り材をダンボール箱の内（底）側に組み込み、１点をテープ等で貼り付ける事により同一効果の従来品より極端に費用を減らせられ、輸送途中倒れて逆さになっても正しく積み込んでさえおけば（倒れても箱の底が下になる様に積み込む)液が漏れることはない。
【００２７】
箱（立てている）→（箱の底を下にして倒す）→（そのあと逆さにする）〓液は漏れない。
【図面の簡単な説明】
【００２８】
【図１】箱用仕切り材の完全展開図
【図２】組み立て工程図
【図３】組み立てられた箱用仕切り材（完成図）
【図４】図３の箱用仕切り材を、出荷用ダンボール箱に接着テープにより取り付けた状態。
【図５】ダンボール箱に入れる花束に溶液の入ったビニール袋を差し込んで、ずり落ちない様にゴムで止めた状態。
【図６】図５で出来上がった花束を、図４で出来上がった出荷用の箱に入れる状態。
【図７】図４で出来上がった箱に正しく花束とビニール袋を入れた状態。
【図８】図７の箱の蓋を閉じて、箱を縦にした時の中の様子、（図７）でビニール袋に入れて垂れていた液が、花束の切り口に留っている。
【図９】図８で立てた箱を、箱の底を下にして横に置いた状態のものを、逆さにして立てた状態。（箱の中の様子）
【図１０】大形箱用仕切り材。（機能は全く同じ）
【図１１】大形箱に大形箱用仕切り材をセットして大きい花束を詰めた状態。
【符号の説明】
【００２９】
イ・・・・・液
ロ・・・・・ゴム
ハ・・・・・花
ニ・・・・・ビニール袋
ホ・・・・・（図１）のB A C D の折り曲げた部分
（ア）・・・・・箱用仕切り材の完全展開図
（イ）・・・・・箱用仕切り材を垂直方向へ折り上げた状態
（ウ）・・・・・箱用仕切り材の完成品
【図１】
0004853674.tif 000002
【図２】
0004853674.tif 000003
【図３】
0004853674.tif 000004
【図４】
0004853674.tif 000005
【図５】
0004853674.tif 000006
【図６】
0004853674.tif 000007
【図７】
0004853674.tif 000008
【図８】
0004853674.tif 000009
【図９】
0004853674.tif 000010
【図１０】
0004853674.tif 000011
【図１１】
0004853674.tif 000012